(57)【要約】【課題】この発明は、カレンダーに印し入れしてある宣伝広告がカレンダーを貰う人に嫌われる事が多く、カレンダーを使用中そのカレンダーの背面の陰になり見えなくて、カレンダーを取り出せばその時見えるカレンダー容れの部分（１２）に印し入れする事で、スポンサーの宣伝広告のデザインや内容は気にならず、且つカレンダーを取り出して取り替える人やその行為を度々見ている人達には、そのカレンダーを見るたびに通常の使用状態では見えてない宣伝広告が潜在意識へ甦える、サブリミナル効果によるカレンダー広告の方法を提供する。【解決手段】カレンダー容れの台シート（１）の印し入れ面（５）の、通常のカレンダーを入れて使用している時はカレンダーに隠れて見えない部分（１２）に、カレンダーを配るスポンサーの宣伝広告（６）（７）（８）（９）等を印し入れするサブリミナル効果によるカレンダー広告の方法を特徴とする。【選択図】        図４
2004287363.tif 000002
【特許請求の範囲】
【請求項１】
カレンダーを収容する容れ物の、カレンダーを入れている通常の状態ではカレンダーの陰になって見えない部分で、カレンダーをその容れ物より取り出した時に見える部分に宣伝広告を印し入れするサブリミナル効果によるカレンダー広告の方法。
【発明の詳細な説明】
【０００１】
【発明の属する技術分野】
この発明は、カレンダーとして通常使用している状態では、カレンダーの背面に対面して見えないカレンダー容れの部分に宣伝広告を印し入れし、それを潜在意識への刷り込みと条件反射の原理を利用して、そのカレンダーを見る度に潜在意識の中に印し入れした宣伝広告を甦らせる、サブリミナル効果によるカレンダー広告の方法に関するものである。
【０００２】
【従来の技術】
従来、カレンダーの宣伝広告の印し入れは、カレンダーを見る時に同時に見られるようにカレンダーの周辺や中のどこかに、スポンサーの宣伝広告の全てが印し入れされてきた。
【０００３】
【発明が解決しようとする課題】
これは次のような欠点が有った。カレンダーを配ったスポンサー側としては、貰われた人がカレンダーを見る時に、より効果的で強い印象を受けるようにと、宣伝広告の内容やデザイン等を大きくしたり派手にしたりするが、貰って使用する人には、そんな宣伝広告の印し入れは嫌われてきた。
【０００４】
【課題を解決するための手段】
カレンダーを、表側は透明で中のカレンダーが見えるカレンダー容れに入れて使用するようにし、そのカレンダー容れの通常カレンダーを入れて使用している状態においては、カレンダー本体の後ろ面側に対面し陰になって見えないカレンダー容れの部分に、カレンダーを配るスポンサーの宣伝広告を印し入れする。
【０００５】
通常のカレンダー利用時は、その印し入れの部分は見えないので利用者にその宣伝広告が嫌われる事もなく、カレンダーの月や日付を変更する為にカレンダー本体をカレンダー容れから取り出して入れ直す迄の少しの時間見えるだけで、利用者はその宣伝広告を気にせずカレンダーを使用できる。
【０００６】
【発明の実施の形態】
この発明の実施の形態について図面を参照しつつ説明する。図１はカレンダー容れに日めくりの日付の紙１枚（３）を入れてセットになったのを正面から見たところで、毎日古くなった日付の紙と当日分の日付の紙を入れ替えて使用する。日めくりの代わりに月表を使用する場合は、１年分の月表の中から当月の紙を１枚入れて使用し毎月入れ替えるか、又は１年分まとめて１冊に製本されている月表をそのまま１冊入れて月が変わる毎に１冊全部取り出して、古い月の紙を破り当月が表紙になるようにして再びカレンダー容れに入れ使用する。
【０００７】
図２は図１の背面から見たところで、台シート（１）の背面上部にこのカレンダー容れとカレンダーのセットを壁面等への固定手段として、両面テープ（４）を取り付けてある。
【０００８】
図３は図１の正面から背面へ縦に２分した時の断面図で、透明シート（２）と台シート（１）の間に、日めくりカレンダー全体の中から１枚の日付の紙が収容されており、その日付の紙の背面に対面して隠れる範囲部分でカレンダー容れの台シート正面部分（５）に、宣伝広告を印し入れする。
【０００９】
図３で透明シート（２）と１枚の日付の紙（３）と台シート（１）の間が空いているが、印し入れ面を判り易くするためで、本来は接している。断面図の各素材の厚みは、見易いように厚く描いてある。
【００１０】
台シート正面で、カレンダーを入れ使用中はカレンダーに隠れて見えない部分への印し入れの方法は、台シート生地へ直接印刷しても、印刷したシール等を台シートへ貼りつけても良い。
【００１１】
図４は日付が変わって日めくりの日付を替える為に、古くなった日めくりの紙をカレンダー容れから取り出した為、それ迄は、そのカレンダーの陰になり見えなかった宣伝広告の印し入れの、会社名（６）、商品の入った絵（７）、商品名（８）、商品の特徴（９）、が現れたところであるが、この宣伝広告の見えている時間はカレンダーの古くなった日付の紙を当日の日付の紙に替えて入れ直す迄の、ほんの少しの時間である。
【００１２】
図５は当発明の宣伝広告の印し入れ範囲を台シートの印し入れ面（５）に斜線の領域で示し、正面から透明シートを透かして見たところであり、カレンダー容れの中で使用しているカレンダーが少し動いてもカレンダーの端から印し入れの部分が見えないように、使用しているカレンダーの面積より少し狭くした領域である。
【００１３】
【発明の効果】
通常のカレンダーとして利用時は、その宣伝広告が印し入れされた部分は見えないので、宣伝広告の内容としては普通一般にカレンダーに印し入れされている内容にかぎらず、ポスターのようなデザインでも、メニューのような内容でも、名刺のようなデザインでも、家訓や社訓など格言集や注意書きのようなものでも良く、カレンダーを配るスポンサーの意図に沿った内容で印し入れをして、仮に派手なデザインや奇抜なデザインになっても、カレンダーを貰った人に嫌われることなく使用してもらえる。
【００１４】
カレンダーの月や日付が変わり古くなった月や日付の紙を、当月や当日の日付の紙に変更する為にカレンダー本体をカレンダー容れから取り出して、再び入れる迄の少しの時間見えるだけで利用者にとってその宣伝広告は殆ど気にならないが、その印し入れが目に入った時は、見えない所に宣伝広告が有ったという意外さの印象で、それを見た人の潜在意識への宣伝広告の刷り込みが行われる。又、月日が進みカレンダーの月表又は日表の紙を入れ替え続ける事により、このカレンダーのセットはカレンダー本体をカレンダー容れから取り出すと宣伝広告が目に入るという事が条件反射となり、通常カレンダーとして使用中で宣伝広告が見えてない状態でも、カレンダーの入れ替えをする人はこのカレンダーを見ると宣伝広告が潜在意識に甦り、サブリミナル効果が現れる。
【００１５】
又、スポンサーの宣伝広告をカレンダー周辺や中に印し入れする今迄の方法でも、簡単で少ない内容で小さめの寸法の例えば会社名のみ小さく印し入れする等であれば、カレンダーを貰った人には嫌われず、当発明の、カレンダーの背面に対面して見えない範囲でカレンダー容れの台シート正面部分の方に、色々な項目やデザインを詳しく印し入れする事の併用により、当発明の意図するサブリミナル効果をより強くする事も出来る。
【図面の簡単な説明】
【図１】本発明のカレンダー広告方法の実施できる形態のカレンダー容れに、１冊の日めくりの内、日付の紙１枚を入れた正面図である。
【図２】図１の背面図である。
【図３】図１のＡ−Ａ線断面図である。
【図４】図１の日めくりの紙を取り出し、隠れていた宣伝広告が現れた正面図である。
【図５】図４で印し入れ出来る範囲を斜線の領域で示した正面図である。
【符号の説明】
１  台シート
２  透明シート
３  １枚の日付の紙
４  両面テープ
５  台シートの印し入れ面
６  社名の印し入れ
７  商品の入った絵の印し入れ
８  商品名の印し入れ
９  商品の特徴の印し入れ
１０  カレンダー容れの開き口
１１  台シートと透明シートの接着した周縁
１２  印し入れ領域
【図１】
2004287363.tif 000003
【図２】
2004287363.tif 000004
【図３】
2004287363.tif 000005
【図４】
2004287363.tif 000006
【図５】
2004287363.tif 000007